(57)【要約】      （修正有）【課題】従来の雷検知器では、電磁波を検知し、その後コヒーラをデコヒーアして次の電磁波の検出に備えるが、デコヒーア後におけるコヒーアの残留電荷やその周辺の静電気などがコヒーラに影響し、次の電磁波を正確に検出できない。この問題を解決し,同一条件で電磁波を検出し,検出精度を向上した雷検出器を提供すること。【解決手段】一方の電極にアンテナ１９が接続され、前記アンテナが電磁波を受信したときに、絶縁状態から短絡状態に移行するコヒーラ１０と、前記コヒーラが短絡状態であるときに第１電源１５から電力が供給され、前記コヒーラを短絡状態から絶縁状態に移行させるデコヒーラ１１と、前記デコヒーラが前記コヒーラを短絡状態から絶縁状態に移行させる前に、前記コヒーラの前記一方の電極を、前記アンテナに接続された状態から、前記コヒーラの他方の電極に短絡された状態に切り替える第１切替スイッチ１２と、を備える。【選択図】図１
2020126005.tif 000002
【特許請求の範囲】
【請求項１】
一方の電極にアンテナが接続され、前記アンテナが電磁波を受信したときに、絶縁状態から短絡状態に移行するコヒーラと、
前記コヒーラが短絡状態であるときに第１電源から電力が供給され、前記コヒーラを短絡状態から絶縁状態に移行させるデコヒーラと、
前記デコヒーラが前記コヒーラを短絡状態から絶縁状態に移行させる前に、前記コヒーラの前記一方の電極を、前記アンテナに接続された状態から、前記コヒーラの他方の電極に短絡された状態に切り替える第１切替スイッチと、
を備えることを特徴とする検出器。
【請求項２】
前記第１切替スイッチが前記コヒーラの前記一方の電極を前記他方の電極に短絡させるように切り替えるのと同時に、前記他方の電極を接地させるように切り替わる第２切替スイッチ
をさらに備えることを特徴とする請求項１に記載の検出器。
【請求項３】
前記コヒーラの状態に応じて前記第１電源から前記デコヒーラに電力を供給するか否かを選択的に切り替える電源スイッチ
をさらに備えることを特徴とする請求項１又は請求項２に記載の検出器。
【請求項４】
コヒーラが絶縁状態から短絡状態に移行すると、第２電源から電力が供給される第１切替駆動部と、
前記第１電源から電力が供給されると、前記電源スイッチを、前記第１電源から前記デコヒーラに電力を供給するように動作させる第２切替駆動部と、
をさらに備え、
前記第１切替駆動部は、前記第２電源から供給される電力に基づいて前記第１電源から前記第２切替駆動部に電力を供給するように動作する
ことを特徴とする請求項３に記載の検出器。
【請求項５】
前記第２切替スイッチは、前記第１切替スイッチが前記コヒーラの前記一方の電極を前記他方の電極に短絡させるように切り替えるのと同時に、前記第２電源から前記第１切替駆動部に対する電力の供給を遮断する
ことを特徴とする請求項４に記載の検出器。
【請求項６】
前記第２切替駆動部と並列に接続され、前記コヒーラが短絡状態であるときに前記第１電源で充電されるコンデンサ
をさらに備えることを特徴とする請求項４又は請求項５に記載の検出器。
【請求項７】
前記コヒーラが絶縁状態から短絡状態に移行すると前記第１切替駆動部に電力を供給する第２電源
をさらに備えることを特徴とする請求項４乃至請求項６の何れか一項に記載の検出器。
【請求項８】
前記コヒーラが絶縁状態から短絡状態に移行すると前記デコヒーラに電力を供給する第１電源
をさらに備えることを特徴とする請求項１乃至請求項７の何れか一項に記載の検出器。
【請求項９】
前記コヒーラに接続され、電磁波を受信するアンテナ
をさらに備えることを特徴とする請求項１乃至請求項８の何れか一項に記載の検出器。
【請求項１０】
一方の電極にアンテナが接続され、前記アンテナが電磁波を受信したときに、絶縁状態から短絡状態に移行するコヒーラと、
供給する電力を変更可能な第３電源と、
前記コヒーラが短絡状態であるときに前記第３電源から電力が供給され、前記コヒーラを短絡状態から絶縁状態に移行するデコヒーラと、
前記デコヒーラが前記コヒーラを短絡状態から絶縁状態に移行させる前に、前記コヒーラの前記一方の電極を、前記アンテナに接続された状態から、前記コヒーラの他方の電極に短絡させるように切り替わる第１切替スイッチと、
を備え、
前記第３電源は、前記コヒーラの動作に応じて前記デコヒーラに電力を供給する
ことを特徴とする測定器。
【発明の詳細な説明】
【技術分野】
【０００１】
本発明は、検出器、測定器に関する。
【背景技術】
【０００２】
例えば、特許文献１には、アンテナ、デコヒーラ付コヒーラ、電源を備えた雷検知器が開示されている。
【先行技術文献】
【特許文献】
【０００３】
【特許文献１】特開平１１−２９４０２０号公報
【発明の概要】
【発明が解決しようとする課題】
【０００４】
雷は様々な周波数の電磁波を放出し、それぞれの周波数の電界強度が時間とともに急激に変化する。このため、雷により放出される電磁波の電界強度の変化も急激なものとなる。特許文献１に開示されている雷検知器は、このような電磁波をとらえるために、急激で大きな電界強度の変化に反応するコヒーラを有している。しかし、該雷検知器では、電磁波を検知し、その後コヒーラをデコヒーアして次の電磁波の検出に備えるが、デコヒーア後におけるコヒーアの残留電荷やその周辺の静電気などがコヒーラに影響し、次の電磁波を正確に検出できないおそれがある。
【課題を解決するための手段】
【０００５】
前述した課題を解決する主たる本発明は、一方の電極にアンテナが接続され、前記アンテナが電磁波を受信したときに、絶縁状態から短絡状態に移行するコヒーラと、前記コヒーラが短絡状態であるときに第１電源から電力が供給され、前記コヒーラを短絡状態から絶縁状態に移行させるデコヒーラと、前記デコヒーラが前記コヒーラを短絡状態から絶縁状態に移行させる前に、前記コヒーラの前記一方の電極を、前記アンテナに接続された状態から、前記コヒーラの他方の電極に短絡された状態に切り替える第１切替スイッチと、を備える。
本発明の他の特徴については、添付図面および本明細書の記載により明らかとなる。
【発明の効果】
【０００６】
本発明によれば、毎回同一の条件で電磁波を検出することができるため電磁波の検出精度を向上できる。
【図面の簡単な説明】
【０００７】
【図１】アンテナが電磁波を受信していない状態の検出器の一例を示す図である。
【図２】アンテナが電磁波を受信したときの電流の流れの一例を示す図である。
【図３】コヒーラがデコヒーアされたときの電流の流れの一例を示す図である。
【図４】コンデンサが第２切替駆動部を保持している状態の一例を示す図である。
【図５】検出器の動作の一例を示すタイムチャートである。
【図６】測定器の一例を示す図である。
【図７】測定器の測定手順の一例を示すタイムチャートである。
【図８】測定器がハンチングするときの電流の流れの一例を示す図である。
【発明を実施するための形態】
【０００８】
本明細書および添付図面の記載により、少なくとも以下の事項が明らかとなる。以下の説明において、同一符号を付した部分は同一の要素を表し、その基本的な構成および動作は同様であるものとする。
【０００９】
＝＝＝検出器１＝＝＝
図１は、アンテナ１９が電磁波を受信していない状態の検出器１を示す図である。図２は、アンテナ１９が電磁波を受信した状態の検出器１を示す図である。図１，図２を参照しつつ、検出器１の構成について説明する。
【００１０】
本実施形態に係る検出器１は、電磁波を受信する度に、後述するコヒーラ１０の電極Ｋ１，Ｋ２を短絡する（つまり、コヒーラ１０の電極Ｋ１，Ｋ２を同電位にする）ことによりコヒーラ１０の周辺の静電気の影響や残留電荷を排除する。これにより、検出器１は、毎回同一条件で電磁波を検出することが可能となる。以下、検出器１の構成について説明する。なお、検出器１は、一例として雷を検出することとして説明するがこれに限定されず、急激な変化を示す電磁波を検出する場合に適用可能である。
【００１１】
図１は、検出器１の一例を示す構成図である。図１に示すように、検出器１は、コヒーラ１０、デコヒーラ１１、第１切替スイッチ１２、第２切替スイッチ１３、閉路電源１４、リセット電源１５、第１切替駆動部１６ａ、第２切替駆動部１６ｂ、電源スイッチ１７、コンデンサ１８、アンテナ１９を含んで構成されている。
【００１２】
まず、コヒーラ１０について説明する。
【００１３】
コヒーラ１０は、アンテナ１９で受信した電磁波を検出する装置である。コヒーラ１０は、例えば、一対の電極間にニッケル等の金属粉末を挟み込み、それらを絶縁体で被覆する構造である。通常状態のコヒーラ１０は、電極間の電気抵抗は高くほぼ絶縁状態である。しかし、落雷による急激で大きな電界強度の変化（雷サージ）に反応して、電気抵抗が減少し最終的には短絡状態（コヒーア）になる。なお、コヒーラ１０は緩やかな電界強度の変化に対しては感度が低く殆ど反応しない。
【００１４】
ここで、コヒーラ１０の構造の一例について詳細に説明する。コヒーラ１０は、例えばＮｉとＡｇの混合粉体（Ｎｉ９５Ｗｔ％、Ａｇ５Ｗｔ％、粒子直径約１００〜１５００μｍ）をＡｇの電極で挟み、ガラス管中に乾燥空気とともに封入したものである。コヒーラ１０は、例えば、Ｎｉ，Ｃｏ，Ｆｅ，Ｍｎ，Ｚｎ，Ｃｕ，Ａｇ，Ａｕ，Ｐｄ，Ａｌ，Ｐｔ等の金属単体粒子もしくは混合粒子をエボナイト、ガラス、プラスチック等の絶縁管中に流動可能に詰めたものであり、絶縁管の両端部には１対の電極を備えている。
【００１５】
次に、コヒーラ１０が絶縁状態から短絡状態に移行するときの過程について説明する。コヒーラ１０は、絶縁状態から、印加電圧の上昇により、電極と金属粉末との間や金属粉末同士で点接触が形成される点接触形成期を経て、定電圧ダイオードを並列に逆接続したものやバリスタなどに近似した電圧制限特性動作期に移行する。さらに、印加電圧が破壊電圧に至ったときに、コヒーラ１０は短絡動作期に移行する。ただし、コヒーラ１０は一度導通状態になると電流を切っても元の絶縁状態には戻らない。コヒーラ１０を、短絡状態から絶縁状態に移行させるには、後述するデコヒーラ１１で振動を与える。
【００１６】
なお、図示していないが、コヒーラ１０には、電圧の高い静電気帯電または商用電源電圧などを検出できるようプローブを接続してもよい。また、コヒーラ１０が安定した抵抗値を示すよう、数百ミクロン以下の粒度を持つ球状金属粉をコヒーラ管の中に封入してもよい。また、衝撃性の入力電圧を付属回路に通さずに有効にコヒーラ１０だけに印加させるために高周波チョークを挿入してもよい。
【００１７】
次に、コヒーラ１０と他の装置との接続関係およびその作用について、図１〜図４を参照しつつ詳細に説明する。
【００１８】
コヒーラ１０は、図１に示すように、一方の電極Ｋ１が第１切替スイッチ１２および閉路電源１４の一方の端子に接続され、他方の電極Ｋ２が第２切替スイッチ１３に接続されている。ここで、閉路電源１４は例えば電池などの直流電源である。
【００１９】
ここで、第１切替スイッチ１２は、後述する第２切替駆動部１６ｂに電流が流れたときに、コヒーラ１０の一方の電極Ｋ１の接続先を第１経路から第２経路に切り替えるスイッチである。ここで、第１経路とはコヒーラ１０の一方の電極Ｋ１をアンテナ１９に接続する経路であり、第２経路とはコヒーラ１０の一方の電極Ｋ１を他方の電極Ｋ２と短絡する経路である。
【００２０】
また、第２切替スイッチ１３は、第２切替駆動部１６ｂに電流が流れたときに、コヒーラ１０の他方の電極Ｋ２の接続先を第３経路から第４経路に切り替えるスイッチである。ここで、第３経路とは第１切替駆動部１６ａを介してコヒーラ１０の他方の電極Ｋ２を閉路電源１４に接続する経路であり、第４経路とはコヒーラ１０の他方の電極Ｋ２を接地する経路である。
【００２１】
なお、図１〜図３では、第１切替スイッチ１２、第２切替スイッチ１３、第２切替駆動部１６ｂのそれぞれは別体で形成されているように示したが、これらは一体的に形成されていてもよい。例えば、第１切替スイッチ１２と第２切替駆動部１６ｂとは一体の５極リレーでもよく、第２切替スイッチ１３と第２切替駆動部１６ｂとは一体の４極リレーでもよいし、これらリレーが更に一体に集合したリレーでもよい。このようにリレーを用いた場合、第２切替駆動部１６ｂがリレーの入力側（一次側）のコイルであり、第１切替スイッチ１２、第２切替スイッチ１３がリレーの出力側（二次側）の接点である。
【００２２】
上記の通り、コヒーラ１０は、第２切替駆動部１６ｂに電流が流れていない状態、すなわちアンテナ１９が電磁波を受信していない状態では、図１に示すように、一方の電極Ｋ１がアンテナ１９に接続され、他方の電極Ｋ２が第１切替駆動部１６ａを介して閉路電源１４に接続されている。この状態では、コヒーラ１０は絶縁状態であるため、第１切替駆動部１６ａに電流は流れない。一方、アンテナ１９が急激で大きな電界変化を伴う電磁波を受信すると、これに反応して、図２に示すようにコヒーラ１０が短絡状態に移行して、後述するように第２切替駆動部１６ｂに電流が流れる。これにより、図３に示すように、第１切替スイッチ１２の接点が接点Ａから接点Ｂに切り替わり、第２切替スイッチ１３の接点が接点Ｃから接点Ｄに切り替わることで、一方の電極Ｋ１が他方の電極Ｋ２と短絡されるとともに、他方の電極Ｋ２が接地される。この状態で、検出器１は、デコヒーラ１１によりコヒーラ１０に振動を与え、コヒーラ１０を短絡状態から絶縁状態に移行させて、次の電界検出に備える。このため、コヒーラ１０の両方の電極Ｋ１，Ｋ２が同電位となり、次回も同一条件で雷に伴う電界を検出することが可能となる。
【００２３】
次に、第２切替駆動部１６ｂの動作について詳細に説明する。
【００２４】
図１に示すように、コヒーラ１０の一方の電極Ｋ１は、閉路電源１４、抵抗Ｒを介して第１切替駆動部１６ａの端子Ｔ１に接続されている。抵抗Ｒは、路電源１４から第１切替駆動部１６ａに印加される電圧を調整するためのものである。コヒーラ１０の他方の電極Ｋ２は第１切替駆動部１６ａの端子Ｔ２に接続されている。この状態において、アンテナ１９が電磁波を受信するとコヒーラ１０が絶縁状態から短絡状態に移行するため、図２に示すようにコヒーラ１０、閉路電源１４、第１切替駆動部１６ａで閉回路が形成される。
【００２５】
第１切替駆動部１６ａは、例えばフォトモスリレーであり、一方側の端子Ｔ１，Ｔ２に閉路電源１４から電力が供給されると、他方側の端子Ｔ３，Ｔ４が導通する。図１に示すように、第１切替駆動部１６ａの端子Ｔ３にはリセット電源１５が接続され、端子Ｔ４には第２切替駆動部１６ｂが接続されている。第２切替駆動部１６ｂは、端子Ｔ４とリセット電源１５の間に設けられている。このため、図２に示すように、アンテナ１９が電磁波を受信すると、第１切替駆動部１６ａの端子Ｔ１，Ｔ２に電流が流れ、端子Ｔ３，Ｔ４間が導通し、第１切替駆動部１６ａ、リセット電源１５、第２切替駆動部１６ｂで閉回路が形成される。これにより第２切替駆動部１６ｂに電流が流れる。なお、リセット電源１４は例えば電池などの直流電源である。
【００２６】
なお、この第１切替駆動部１６ａは、後段の回路を電気的に絶縁し保護するために設けるものであり、また後段の回路を誤動作させる電気的ノイズを除去する役割も果たす。
【００２７】
次に、デコヒーラ１１について説明する。なお、以下において、コヒーラ１０が絶縁状態から短絡状態に移行することを「コヒーア」といい、短絡状態から絶縁状態に移行することを「デコヒーア」という。
【００２８】
デコヒーラ１１は、コヒーアしたコヒーラ１０の絶縁性を回復するための装置である。デコヒーラ１１は、圧電素子や電磁石より超音波（例えば２０ｋＨｚ以上）を発生するようなものや、機械的振動を発生するようなものであり、例えば、モータ、ブザー、超音波振動子、リレーの可動部分などである。デコヒーラ１１の動作により、コヒーラ１０の絶縁体が振動し、コヒーラ１０が短絡状態から元の絶縁状態に復帰する。
【００２９】
ここで、デコヒーラ１１と他の装置との接続関係およびその作用について、以下詳細に説明する。
【００３０】
デコヒーラ１１は、図１に示すように、一方の端子Ｄ１が電源スイッチ１７を介してリセット電源１５の一方の端子に接続され、他方の端子Ｄ２がリセット電源１５の他方の端子に接続されている。このため、デコヒーラ１１は、電源スイッチ１７の動作に応じて起動・停止する。電源スイッチ１７は、例えば、ａ接点であり、第２切替駆動部１６ｂに電流が流れると、その金属部分を物理的に接触させる。このため、ａ接点の金属部分の物理的な接触・非接触を切り替えることによりデコヒーラ１１のＯＮ・ＯＦＦを制御する。
【００３１】
なお、電源スイッチ１７と第２切替駆動部１６ｂとは一の４極リレーとして形成されていてもよい。この場合、第２切替駆動部１６ｂが入力側（一次側）のコイルであり、電源スイッチ１７が出力側（二次側）の接点である。
【００３２】
次に、コンデンサ１８について説明する。
【００３３】
コンデンサ１８は、第２切替駆動部１６ｂの状態を一定時間保持する。コンデンサ１８は、第２切替駆動部１６ｂと並列に接続されている。このため、アンテナ１９が電磁波を受信して第２切替駆動部１６ｂに電流が流れる際に、コンデンサ１８が充電される。第２切替駆動部１６ｂの動作に応じて第１切替スイッチ１２、第２切替スイッチ１３が動作し、リセット電源１５から第２切替駆動部１６ｂに対する電力の供給が遮断されるが、このとき、図４に示すように、コンデンサ１８が第２切替駆動部１６ｂに電力を供給する。このため、第２切替駆動部１６ｂ（電源スイッチ１７）を保持し、デコヒーラ１１を起動できる。
【００３４】
なお、検出器１は、アンテナ１９とコヒーラ１０との間にフィルタトランス（不図示）を備えていてもよい。これにより、アンテナ１９で受信する電磁波の周波数成分を選択することができるとともに、誘導雷からコヒーラ１０を保護することができる。
【００３５】
また、検出器１は、閉路電源１４、リセット電源１５、アンテナ１９を含んで構成されているとして説明したが、これらの構成要素は必須ではない。閉路電源１４、リセット電源１５、アンテナ１９は、検出器１とは別体として付帯するものでもよい。
【００３６】
＝＝＝検出器１の動作手順＝＝＝
図１〜図５を参照して、アンテナ１９が電磁波を受信してからコヒーラ１０をデコヒーアするまでの一連の動作手順を説明する。
【００３７】
検出器１は、時刻ｔ１１にアンテナ１９が電磁波を受信すると、コヒーラ１０が絶縁状態から短絡状態に移行する（コヒーア）。これにより、図２に示すように、閉路電源１４から第１切替駆動部１６ａに電流が流れ、第１切替駆動部１６ａの他方側の端子Ｔ３，Ｔ４間が導通する。
【００３８】
そして、リセット電源１５から第１切替駆動部１６ａを介して第２切替駆動部１６ｂに電流が流れ、時刻ｔ１２に第２切替駆動部１６ｂに所定の電圧（閉路電源１４の定格電圧）が印加されると、図３に示すように電源スイッチ１７がＯＮする。電源スイッチ１７がＯＮすると同時に、第１切替スイッチ１２の接点が接点Ａから接点Ｂに切り替わり、第２切替スイッチ１３の接点が接点Ｃから接点Ｄに切り替わる。これにより、コヒーラ１０の両方の電極Ｋ１，Ｋ２が短絡され同電位になるとともに、第１切替駆動部１６ａにおける端子Ｔ３と端子Ｔ４の間の導通が遮断される。端子Ｔ３と端子Ｔ４の間の導通が遮断されると、リセット電源１５から第２切替駆動部１６ｂへの電力が遮断される。しかし、この状態において、図４に示すように、充電されたコンデンサ１８から第２切替駆動部１６ｂに電力を供給し、第２切替駆動部１６ｂ（電源スイッチ１７）が保持される。
【００３９】
そして、リセット電源１５から電源スイッチ１７を介してデコヒーラ１１に電流が流れデコヒーラ１１が起動する。コヒーラ１０は、デコヒーラ１１から振動を受けると、時刻ｔ１２から所定の時間遅い時刻ｔ１３にデコヒーアする。ここで、時刻ｔ１２と時刻ｔ１３の時間差は、コヒーラ１０の特性で決まるものである。このため、コヒーラ１０の両方の電極Ｋ１，Ｋ２が短絡されている状態でデコヒーアできる。
【００４０】
その後、時刻ｔ１４において、コンデンサ１８から第２切替駆動部１６ｂに印加される電圧が第２切替駆動部１６ｂの最低保持電圧を下回ると、第２切替駆動部１６ｂの保持が解けて電源スイッチ１７がＯＦＦする。電源スイッチ１７がＯＦＦすると同時に、第１切替スイッチ１２の接点が接点Ｂから接点Ａに切り替わり、第２切替スイッチ１３の接点が接点Ｄから接点Ｃに切り替わる。このため、検出器１は、図１に示すようにアンテナ１９が電磁波を受信する前の状態に戻り、次の電磁波の受信に備える。
【００４１】
＝＝＝測定器２＝＝＝
図６は、測定器２の一例を示す構成図である。図６に示すように、測定器２は、コヒーラ１０、デコヒーラ１１、第１切替スイッチ１２、第２切替スイッチ１３、閉路電源１４、第１切替駆動部１６ａ、第２切替駆動部１６ｂ、電源スイッチ１７、コンデンサ１８、アンテナ１９、可変電源２１を含んで構成されている。
【００４２】
測定器２は、検出器１の構成要素のうちリセット電源１５を可変電源２１に変更したものである。よって、検出器１と同じ構成要素についてはその説明を省略する。
【００４３】
可変電源２１は、出力する直流電圧のレベルを調整する。可変電源２１は、一方の端子が電源スイッチ１７を介してデコヒーラ１１の一方の端子に接続され、他方の端子がデコヒーラ１１の他方の端子Ｄ２に接続されている。可変電源２１を設けることにより、デコヒーラ１１に印加するべき電圧レベルを測定できるため、電源設計が可能になる。
【００４４】
デコヒーラ１１に印加するべき電圧レベルを測定するに際し、デコヒーアの前に、コヒーラ１０の両方の電極Ｋ１，Ｋ２を短絡することで、残留電荷や周辺の静電気の影響を排除することができるため、デコヒーラ１１の最低動作電圧を正確に測定できる。
【００４５】
＝＝測定器２の測定手順＝＝
図６，図７，図８を参照して、測定器２がデコヒーラ１１の最低動作電圧を測定する測定手順を説明する。
【００４６】
測定器２におけるｔ２１，ｔ２２までの動作は検出器１のｔ１１，ｔ１２までの動作と同じであるため、その説明を省略する。
【００４７】
図７は、測定器２の測定手順の一例を示すタイムチャートである。図７に示すように、時刻ｔ２３において、デコヒーラ１１はコヒーラ１０をデコヒーアするべくコヒーラ１０に振動を与える。しかし、可変電源２１からデコヒーラ１１に印加される可変電圧が、デコヒーラ１１の最低動作電圧を下回るため、コヒーラ１０がコヒーアされない。最低動作電圧とは、デコヒーラ１１がコヒーラ１０をデコヒーアするために必要な最も低い電圧である。
【００４８】
その後、第２切替駆動部１６ｂに電流を流すコンデンサ１８の充電量が減少し、コンデンサ１８から第２切替駆動部１６ｂに印加される電圧が第２切替駆動部１６ｂの最低保持電圧を下回ると、電源スイッチ１７がＯＦＦし、第１切替スイッチ１２の接点が接点Ｂから接点Ａに切り替わり、第２切替スイッチ１３の接点が接点Ｄから接点Ｃに切り替わる。しかし、コヒーラ１０は未だ短絡状態であるため、可変電源２１から第２切替駆動部１６ｂに電力が供給される。このため、図８に示すように、デコヒーラ１１がコヒーラ１０をデコヒーアするための動作を繰り返す（ハンチング）。これにより、ハンチング発生時の電圧よりも高い電圧がデコヒーラ１１の最低動作電圧であることがわかる。
【００４９】
＝＝＝まとめ＝＝＝
以上説明したように、本実施形態に係る検出器１は、一方の電極Ｋ１にアンテナ１９が接続され、アンテナ１９が電磁波を受信したときにリセット電源１５（第２電源）から電力が供給され、コヒーラ１０を短絡状態から絶縁状態に移行させるデコヒーラ１１と、デコヒーラ１１がコヒーラ１０を短絡状態から絶縁状態に移行させる前に、コヒーラ１０の一方の電極Ｋ１を、アンテナ１９に接続させた状態から、コヒーラ１０の他方の電極Ｋ２に短絡させるように切り替える第１切替スイッチ１２と、を備える。これにより、検出器１は毎回同一の条件で電磁波を検出することができるため電磁波の検出精度を向上できる。
【００５０】
又、本実施形態に係る検出器１は、第１切替スイッチ１２がコヒーラ１０の一方の電極Ｋ１を他方の電極Ｋ２に短絡させるように切り替えるのと同時に、他方の電極Ｋ２を接地に接続するように切り替える第２切替スイッチ１３をさらに備える。これにより、コヒーラ１０の両方の電極Ｋ１，Ｋ２を同電位（０Ｖ）にすることができる。
【００５１】
又、本実施形態に係る検出器１は、コヒーラ１０の状態に応じてリセット電源１５からデコヒーラ１１に電力を供給するか否かを選択的に切り替える電源スイッチ１７をさらに備える。これにより、確実にコヒーラ１０の両方の電極Ｋ１，Ｋ２を短絡した後にデコヒーアできる。
【００５２】
又、本実施形態に係る検出器１の第２切替スイッチ１３は、第１切替スイッチ１２がコヒーラ１０の両方の電極Ｋ１，Ｋ２を短絡するように切り替えるのと同時に、閉路電源１４から第１切替駆動部１６ａに対する電力の供給を遮断する。これにより、第１切替スイッチ１２と同時に動作するスイッチにより第１切替駆動部１６ａへの電力供給を遮断できるため、効率的な装置設計が可能となる。
【００５３】
又、本実施形態に係る検出器１は、第２切替駆動部１６ｂと並列に接続され、コヒーラ１０が短絡状態であるときにリセット電源１５（第１電源）で充電されるコンデンサ１８をさらに備える。これにより、簡易な装置構成で、コヒーラ１０の両方の電極Ｋ１，Ｋ２を短絡した後に、コヒーラ１０をデコヒーアできる。
【００５４】
又、本実施形態に係る検出器１は、閉路電源１４（第２電源）、リセット電源１５（第１電源）、アンテナ１９をさらに備える。これにより、検出器１に電力を供給する電源設備やアンテナの準備が不要となる。
【００５５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５６】
１  検出器
１０  コヒーラ
１１  デコヒーラ
１２  第１切替スイッチ
１３  第２切替スイッチ
１４  閉路電源
１５  リセット電源
１６ａ  第１切替駆動部
１６ｂ  第２切替駆動部
１７  電源スイッチ
１８  コンデンサ
１９  アンテナ
２  測定器
２１  可変電源
【図１】
2020126005.tif 000003
【図２】
2020126005.tif 000004
【図３】
2020126005.tif 000005
【図４】
2020126005.tif 000006
【図５】
2020126005.tif 000007
【図６】
2020126005.tif 000008
【図７】
2020126005.tif 000009
【図８】
2020126005.tif 000010